(57)【要約】【課題】両ハウジングを離脱させる際のフロント部材の脱落を防ぐ。【解決手段】機器側ハウジング９２と嵌合可能な電線側ハウジング３０を有する電線側コネクタ１０であって、電線側ハウジング３０には、機器側ハウジング９２内に前方から嵌合可能な端子収容部３２と、端子収容部３２に後方から収容される雌端子２０と、端子収容部３２の前端部に前方から組み付けられるフロントリテーナ５０とを備え、フロントリテーナ５０には、機器側ハウジング９２と電線側ハウジング３０とを離脱させる際に、雌端子２０の係止部２５と前後方向に係止する抜け止め部５７が設けられているところに特徴を有する。【選択図】図１
2015133276.tif 000002
【特許請求の範囲】
【請求項１】
相手側ハウジングと嵌合可能なハウジングを有するコネクタであって、
前記ハウジングには、前記相手側ハウジング内に前方から嵌合可能な端子収容部と、
前記端子収容部内に保持される端子と、
前記端子収容部の前端部に前方から組み付けられるフロント部材とを備え、
前記フロント部材には、前記相手側ハウジングと前記ハウジングとを離脱させる際に前記端子と前後方向に係止する抜け止め部が設けられているコネクタ。
【請求項２】
前記端子には、同端子の外面から嵌合方向と交差する方向に突出する係止部が設けられており、
前記抜け止め部は、前記係止部が嵌合方向と交差する方向に嵌まり込む凹状に形成されている請求項１記載のコネクタ。
【請求項３】
前記係止部は、同係止部の突出する方向と反対方向に向けて弾性変位可能に設けられている請求項２記載のコネクタ。
【請求項４】
前記抜け止め部における前記端子側とは反対側の位置には、前記抜け止め部が前記端子から離れる方向に向けて弾性変位可能な撓み空間が設けられている請求項２記載のコネクタ。
【請求項５】
前記フロント部材と前記相手側ハウジングとの間には、前記相手側ハウジングと前記ハウジングとが嵌合した際に、前記フロント部材と前記相手側ハウジングとの間のがたつきを抑制するがた詰め部が設けられている請求項１から請求項４の何れか一項に記載のコネクタ。
【請求項６】
前記ハウジングには、前記端子の挿入過程において、前記端子に押圧されることでランス撓み空間に向かって弾性変位し、前記端子が正規の挿入位置に至ると、弾性復帰して前記端子を抜け止めするランスが設けられ、
前記フロント部材には、前記ランス撓み空間に進入することで前記ランスが弾性変位することを防ぐ変位防止部が設けられている請求項１から請求項５の何れか一項に記載のコネクタ。
【発明の詳細な説明】
【技術分野】
【０００１】
本発明は、コネクタに関する。
【背景技術】
【０００２】
従来、雄ハウジング内に嵌合可能なタワー部を有する雌ハウジングを備えたコネクタとして、下記特許文献に記載のものが知られている。タワー部の前端部には、がた詰めリブを有する前壁部材が装着可能とされている。雄ハウジングと雌ハウジングとが嵌合されると、タワー部に装着された前壁部材のがた詰めリブが雄ハウジングに食い込むことで、両ハウジング間のがたつきが低減されるようになっている。
【先行技術文献】
【特許文献】
【０００３】
【特許文献１】特開２００８−１６６０４６号公報
【発明の概要】
【発明が解決しようとする課題】
【０００４】
ところで、タワー部の前端部に装着される前壁部材などのフロント部材は、タワー部に対して前方から組み付けられ、フロント部材とタワー部とが前後方向に係止することで、フロント部材がタワー部に固定されている。
【０００５】
ところが、がた詰めリブによって両ハウジング間がより強固にがた詰めされると、雄ハウジングと雌ハウジングとを離脱させる際に、フロント部材が雄ハウジングに連れられて前方に向けて引っ張られ、フロント部材とタワー部との係止が外れることで、フロント部材がタワー部から脱落してしまうことが懸念される。
【０００６】
本発明は上記のような事情に基づいて完成されたものであって、両ハウジングを離脱させる際のフロント部材の脱落を防ぐことを目的とする。
【課題を解決するための手段】
【０００７】
上記の目的を達成するための手段として本発明は、相手側ハウジングと嵌合可能なハウジングを有するコネクタであって、前記ハウジングには、前記相手側ハウジング内に前方から嵌合可能な端子収容部と、前記端子収容部内に保持される端子と、前記端子収容部の前端部に前方から組み付けられるフロント部材とを備え、前記フロント部材には、前記相手側ハウジングと前記ハウジングとを離脱させる際に前記端子と前後方向に係止する抜け止め部が設けられているところに特徴を有する。
このような構成のコネクタによると、相手側ハウジングとハウジングとを離脱させる際に、フロント部材が相手側ハウジングに連れられて前方に向けて引っ張られると、フロント部材の抜け止め部と端子とが前後方向に係止し、フロント部材が端子収容部から脱落することを防ぐことができる。
【０００８】
本発明の実施の形態として、以下の構成が望ましい。
前記端子には、同端子の外面から嵌合方向と交差する方向に突出する係止部が設けられており、前記抜け止め部は、前記係止部が嵌合方向と交差する方向に嵌まり込む凹状に形成されている構成としてもよい。
このような構成によると、係止部と抜け止め部とが嵌合方向と交差する方向に凹凸嵌合することになるから、フロント部材が端子収容部から脱落することを確実に防ぐことができる。
【０００９】
前記係止部は、同係止部の突出する方向と反対方向に向けて弾性変位可能に設けられている構成としてもよい。
このような構成によると、フロント部材を着脱する際に、係止部が抜け止め部に乗り上げるように係止部の突出する方向と反対方向に弾性変位するから、フロント部材を容易に着脱することができる。
【００１０】
前記抜け止め部における前記端子側とは反対側の位置には、前記抜け止め部が前記端子から離れる方向に向けて弾性変位可能な撓み空間が設けられている構成としてもよい。
このような構成によると、フロント部材を着脱する際に、抜け止め部が撓み空間に向けて弾性変位するから、フロント部材を容易に着脱することができる。
【００１１】
前記フロント部材と前記相手側ハウジングとの間には、前記相手側ハウジングと前記ハウジングとが嵌合した際に、前記フロント部材と前記相手側ハウジングとの間のがたつきを抑制するがた詰め部が設けられている構成としてもよい。
がた詰め部によってフロント部材と相手側ハウジングとの間をがた詰めすると、両ハウジングを離脱させる過程において、フロント部材が相手側ハウジングに連れられて前方に向けて引っ張られ、フロント部材が端子収容部から脱落してしまう虞がある。ところが、フロント部材が端子に係止され、フロント部材が端子収容部から脱落することが防がれるので、フロント部材に両ハウジングのがたを抑制するがた詰めリブなどが形成されている場合に非常に有効である。
【００１２】
前記ハウジングには、前記端子の挿入過程において、前記端子に押圧されることでランス撓み空間に向かって弾性変位し、前記端子が正規の挿入位置に至ると、弾性復帰して前記端子を抜け止めするランスが設けられ、前記フロント部材には、前記ランス撓み空間に進入することで前記ランスが弾性変位することを防ぐ変位防止部が設けられている構成としてもよい。
このような構成によると、変位防止部が設けられたフロント部材の脱落を防止することができるので、ランスが弾性変位することを防ぐフロントリテーナとしてフロント部材を使用する場合に非常に有効である。
【発明の効果】
【００１３】
本発明によれば、両ハウジングを離脱させる際のフロント部材の脱落を防ぐことができる。
【図面の簡単な説明】
【００１４】
【図１】実施形態１にかかる電線側コネクタが機器側コネクタと嵌合した状態を示す断面図
【図２】電線側コネクタと機器側コネクタとが離脱した状態を示す断面図
【図３】電線側コネクタの分解断面図
【図４】実施形態２にかかる電線側コネクタが機器側コネクタと嵌合した状態を示す断面図
【図５】実施形態３にかかる電線側コネクタが機器側コネクタと嵌合した状態を示す断面図
【発明を実施するための形態】
【００１５】
＜実施形態１＞
本発明の実施形態１について図１から図３を参照して説明する。
本実施形態は、車両の機器９１に設けられた機器側コネクタ９０に嵌合される電線側コネクタ１０を例示している。なお、以下の説明において、前後方向とは、図１および図２の左右方向を基準とし、両コネクタ１０，９０が互いに嵌合する側を前側として説明する。
【００１６】
機器側コネクタ９０は、図１または図２に示すように、機器９１と一体に形成された機器側ハウジング９２と、機器側ハウジング９２に保持されたタブ状の雄端子９３を備えて構成されている。
機器側ハウジング９２は、フード状をなしており、機器側ハウジング９２の奥壁から雄端子９３が突出している。
機器側ハウジング９２の上部には、ロック部９４が突設されており、ロック部９４の前面は前方に向かうほど機器側ハウジング９２に向かって傾斜する傾斜面９５とされている。
【００１７】
電線側コネクタ１０は、図１または図２に示すように、電線Ｗの端末に接続される雌端子２０と、雌端子２０を収容して機器側ハウジング９２に嵌合される合成樹脂製の電線側ハウジング３０とを備えて構成されている。
雌端子２０は、図３に示すように、導電性に優れた金属板材をプレス加工することにより形成されている。雌端子２０は、図１に示すように、雄端子９３と接続可能な接続筒部２１と、電線Ｗの端末に接続される電線接続部２２とを前後方向に繋いだ形態とされている。
【００１８】
接続筒部２１は前後方向に長い角筒状をなしており、接続筒部２１内に雄端子９３が進入することで接続筒部２１と雄端子９３とが電気的に接続されるようになっている。
電線接続部２２は、電線Ｗの端末において露出された芯線Ｗ１と、芯線Ｗ１を覆う絶縁被覆Ｗ２とにかしめ圧着されることで、電線Ｗの端末に雌端子２０を接続している。また、電線Ｗの端末にはゴム栓２４が外嵌されており、このゴム栓２４と絶縁被覆Ｗ２とに電線接続部２２がかしめ圧着されることで、電線Ｗの端末にゴム栓２４が固定されている。
【００１９】
電線側ハウジング３０は、図１から図３に示すように、電線側フード部３１の内側に端子収容部３２が設けられた形態とされており、電線側フード部３１と端子収容部３２との間に機器側ハウジング９２が嵌合されるようになっている。
電線側フード部３１の上部には、前後方向に長いロックアーム３３が設けられている。このロックアーム３３は、前後方向略中央部を支点に前後両端部を上下させるように弾性的に傾動可能とされている。
【００２０】
ロックアーム３３の前端部には、ロック部９４と前後方向に係止するロック爪３４が設けられている。このロック爪３４は、機器側ハウジング９２と電線側ハウジング３０との嵌合過程において、機器側ハウジング９２のロック部９４の傾斜面９５に乗り上げ、ロックアーム３３を弾性変位させる。そして、機器側ハウジング９２と電線側ハウジング３０とが正規の嵌合状態に至ると、ロック爪３４がロック部９４を乗り越えてロックアーム３３が弾性復帰し、ロックアーム３３のロック爪３４とロック部９４とが前後方向に係止することで、図１に示すように、両ハウジング３０，９２が正規の嵌合状態に保持されるようになっている。
【００２１】
ロックアーム３３の後端部には、上方から押圧してロックアーム３３を弾性変位させることで、ロック爪３４とロック部９４との係止状態を解除する解除操作部３５が設けられている。この解除操作部３５を押圧操作して、ロック爪３４とロック部９４との係止状態を解除し、両ハウジング３０，９２を互いに反対方向に変位させることで、図２に示すように、両コネクタ１０，９０が離脱するようになっている。
【００２２】
端子収容部３２は、図１から図３に示すように、前後方向に長い筒状をなし、機器側ハウジング９２内に嵌合可能とされている。端子収容部３２内には、雌端子２０が後方から収容されるキャビティ３６が前後方向に貫通して形成されている。キャビティ３６の底部には、雌端子２０の接続筒部２１を後方から係止することで雌端子２０を抜け止めする弾性変位可能なランス３７が形成されている。ランス３７は、前方に向かって片持ち状に延出された形態をなしている。
【００２３】
ランス３７の下方には、ランス撓み空間３８が設けられており、雌端子２０がキャビティ３６内へ挿入されると、ランス３７が雌端子２０の接続筒部２１に後方から押圧され、ランス３７がランス撓み空間３８に進入して弾性変位するようになっている。そして、雌端子２０がキャビティ３６内において正規の挿入位置に至ると、ランス３７と接続筒部２１との当接状態が解除され、ランス３７が弾性復帰してランス撓み空間３８から退避する。
【００２４】
ランス３７が弾性復帰すると、接続筒部２１がランス３７によって後方から係止され、雌端子２０が端子収容部３２のキャビティ３６内に保持されるようになっている。また、雌端子２０がキャビティ３６内の正規の位置に収容されると、雌端子２０の電線接続部２２によって固定されたゴム栓２４が電線Ｗの外周面とキャビティ３６の内周面とに密着し、電線Ｗと端子収容部３２との間が止水される。
【００２５】
端子収容部３２の前端部には、図１から図３に示すように、前方から合成樹脂製のフロントリテーナ５０が組み付け可能とされている。フロントリテーナ５０が端子収容部３２に組み付けられると、フロントリテーナ５０によりキャビティ３６の前端部が構成され、雌端子２０における接続筒部２１の前端部および接続筒部２１の下面がフロントリテーナ５０によって覆われるようになっている。
【００２６】
フロントリテーナ５０は、端子収容部３２の前端部を前方から包み込むようなキャップ状に形成されている。フロントリテーナ５０の前壁には、端子挿通孔５１が設けられており、この端子挿通孔５１を通して雄端子９３がキャビティ３６および雌端子２０の接続筒部２１内に進入するようになっている。
【００２７】
フロントリテーナ５０の後端外周縁部は、端子収容部３２の後端外周面に外嵌された環状のシールリング３９を前方から係止することで、端子収容部３２からシールリング３９を抜け止めするシール押さえ部５２とされている。
シールリング３９は、機器側ハウジング９２と電線側ハウジング３０とが嵌合され、機器側ハウジング９２内に端子収容部３２が嵌合されると、機器側ハウジング９２の内周面９２Ａと端子収容部３２の外周面とに全周に亘って密着し、機器側ハウジング９２と端子収容部３２との間を止水するようになっている。
【００２８】
フロントリテーナ５０における幅方向両側の内側壁５０Ａには、図３に示すように、係止突起５３が設けられている。係止突起５３は、端子収容部３２における幅方向両側の側壁３２Ａに設けられた係止孔４０に嵌まり込み可能とされており、フロントリテーナ５０が端子収容部３２に前方から組み付けられると、係止孔４０に係止突起５３が嵌まり込むことで、フロントリテーナ５０が端子収容部３２に保持固定されるようになっている。
【００２９】
フロントリテーナ５０の前壁における端子挿通孔５１の下方には、図１から図３に示すように、上下方向に肉厚な形態の肉厚部５４が設けられており、この肉厚部５４が雌端子２０の接続筒部２１における下面を覆うようになっている。肉厚部５４の後端部には、後方に向けて真っ直ぐ延びる板状の変位防止部５５が設けられている。変位防止部５５は、ランス撓み空間３８内に進入可能とされており、フロントリテーナ５０が端子収容部３２に前方から組み付けられると、ランス撓み空間３８に前方から進入し、ランス３７がランス撓み空間３８内に進入することを防ぐようになっている。つまり、雌端子２０は、図１または図２に示すように、ランス３７とフロントリテーナ５０の変位防止部５５とによって二重に係止されている。
【００３０】
フロントリテーナ５０の前半分における上下両面には、図１から図３に示すように、がた詰め部５６が形成されている。これらのがた詰め部５６は、フロントリテーナ５０の外面から外方に突出し、かつフロントリテーナ５０の前端から後方に向けて前後方向に延びたリブ状に形成されている。
がた詰め部５６は、機器側ハウジング９２と電線側ハウジング３０とが正規の嵌合状態に至ると、図１に示すように、機器側ハウジング９２の内周面９２Ａに食い込んだ状態となって、両ハウジング３０，９２間のがたつきが低減されるようになっている。
【００３１】
さて、雌端子２０の接続筒部２１の下面には、図３に示すように、電線側ハウジング３０の嵌合方向と交差する方向である下方に向かって突出する係止部２５が設けられている。係止部２５は、接続筒部２１の前端よりもやや後方の位置に配されている。係止部２５の前面は後方に向かうほど下方に向かって傾斜するテーパ面２６とされており、係止部２５の後面は、電線側ハウジング３０の嵌合方向と直交する端子側係止面２７とされている。
【００３２】
一方、フロントリテーナ５０における肉厚部５４の上部には、図１から図３に示すように、接続筒部２１の係止部２５と前後方向に係止可能な抜け止め部５７が設けられている。抜け止め部５７は、接続筒部２１の係止部２５が上方から嵌まり込み可能な凹状に形成されており、抜け止め部５７の後端部が係止部２５と前後方向に係止可能な係止爪５８とされている。
【００３３】
係止爪５８の前面は電線側ハウジング３０の嵌合方向と直交するリテーナ側係止面５９とされ、係止爪５８の後面は前方に向かうほど下方に向けて緩やかに傾斜した形態とされている。したがって、端子収容部３２に対してフロントリテーナ５０を前方から組み付けると、係止爪５８が接続筒部２１の係止部２５のテーパ面２６に乗り上げる。そして、係止爪５８が係止部２５を乗り越えることで係止部２５が抜け止め部５７に無理に嵌まり込む、いわゆる無理嵌めにより、図１または図２に示すように、係止部２５と抜け止め部５７とが上下方向に凹凸嵌合した状態となる。
そして、係止部２５の端子側係止面２７と係止爪５８のリテーナ側係止面５９とが前後方向に対向することで、係止部２５と抜け止め部５７の係止爪５８とが前後方向に係止可能な状態となるように構成されている。
【００３４】
本実施形態の電線側コネクタ１０は、以上のような構成であって、続いて、電線側コネクタ１０の組み立て手順の一例を簡単に説明すると共に、電線側コネクタ１０と機器側コネクタ９０とを離脱させる際の作用および効果について説明する。
電線側コネクタ１０の組み立てでは、まず、電線側ハウジング３０の端子収容部３２にシールリング３９を前方から組み付け、図３に示すように、端子収容部３２の後端外周面にシールリング３９を装着する。
【００３５】
次に、端子収容部３２の後方から電線Ｗの端末に接続された雌端子２０を挿入する。この挿入過程では、ランス３７が雌端子２０の接続筒部２１に後方から押圧され、ランス３７がランス撓み空間３８に進入して弾性変位する。そして、雌端子２０がキャビティ３６内において正規の挿入位置に至ると、ランス３７と接続筒部２１との当接状態が解除され、ランス３７が弾性復帰してランス撓み空間３８から退避する。これにより、接続筒部２１がランス３７によって後方から係止され、雌端子２０が端子収容部３２のキャビティ３６内に保持される。
【００３６】
次に、端子収容部３２の前端部に前方からフロントリテーナ５０を組み付ける。このフロントリテーナ５０の組み付け過程では、変位防止部５５がランス撓み空間３８に前方から進入する。これにより、ランス３７がランス撓み空間３８に進入することが防がれ、雌端子２０がランス３７とフロントリテーナ５０の変位防止部５５とによって二重に係止される。また、この組み付け過程では、抜け止め部５７の係止爪５８が雌端子２０の接続筒部２１における係止部２５のテーパ面２６に乗り上げる。そして、端子収容部３２に対するフロントリテーナ５０の組み付けが完了すると、係止爪５８が係止部２５を乗り越えることで係止部２５が抜け止め部５７に無理嵌めされ、係止部２５と抜け止め部５７の係止爪５８とが前後方向に係止可能となる。
【００３７】
また、端子収容部３２に対するフロントリテーナ５０の組み付けが完了すると、フロントリテーナ５０の係止突起５３が端子収容部３２の係止孔４０に嵌まり込むことで、フロントリテーナ５０が端子収容部３２に保持固定され、フロントリテーナ５０のシール押さえ部５２によってシールリング３９が抜け止めされる。これにより、電線側コネクタ１０が完成する。
【００３８】
次に、電線側コネクタ１０と機器側コネクタ９０とを離脱させる手順を説明する。
電線側コネクタ１０と機器側コネクタ９０とが正規に嵌合した状態では、図１に示すように、ロック部９４とロックアーム３３のロック爪３４とが前後方向に係止することで機器側ハウジング９２と電線側ハウジング３０とが正規の嵌合状態に保持され、雄端子９３と雌端子２０とが電気的に接続された状態となっている。また、機器側ハウジング９２と電線側ハウジング３０とが正規に嵌合された状態では、フロントリテーナ５０のがた詰め部５６が機器側ハウジング９２の内周面９２Ａに食い込んだ状態となって両ハウジング３０，９２間のがたつきが低減されている。
【００３９】
機器側コネクタ９０と電線側コネクタ１０とを離脱させるためには、まず、ロックアーム３３の解除操作部３５を上方から押圧してロックアーム３３を弾性変位させることでロック部９４とロック爪３４との係止を解除する。そして、電線側ハウジング３０と機器側ハウジング９２とを互いに反対方向に引き離し、図２に示すように、機器側コネクタ９０と電線側コネクタ１０とを離脱させる。
【００４０】
ところで、がた詰め部５６が機器側ハウジング９２の内周面９２Ａに深く食い込んで両ハウジング３０，９２間が強固にがた詰めされていると、機器側ハウジング９２と電線側ハウジング３０との離脱過程において、フロントリテーナ５０が機器側ハウジング９２に連れられて前方に向けて引っ張られ、フロントリテーナ５０の係止突起５３が端子収容部３２の係止孔４０から外れることで、フロントリテーナ５０が端子収容部３２から脱落しまうことが懸念される。
【００４１】
ところが、本実施形態のフロントリテーナ５０によると、係止突起５３と係止孔４０の周縁部との係止に加えて、抜け止め部５７と雌端子２０の係止部２５とが上下方向に凹凸嵌合状態となって抜け止め部５７における係止爪５８のリテーナ側係止面５９と係止部２５の端子側係止面２７とが前後方向に係止し、端子収容部３２からのフロントリテーナ５０の脱落を防ぐことができる。すなわち、例えば、係止突起と係止孔の周縁部との係止のみで端子収容部にフロントリテーナを保持させる場合に比べて、端子収容部３２からのフロントリテーナ５０の脱落をより強固に防ぐことができる。
また、接続筒部２１の外面から突出する係止部２５と肉厚部５４に凹状に設けられた抜け止め部５７とが電線側ハウジング３０の嵌合方向と交差する方向である上下方向にしっかりと凹凸嵌合しているから、例えば、フロントリテーナに設けた突起状の抜け止め部を雌端子の接続筒部に対して係止させる場合に比べて、抜け止め部５７と係止部２５との係止力を向上させることできる。
【００４２】
以上のように、両ハウジング３０，９２が強固にがた詰めされるなどして、両ハウジング３０，９２を離脱させる過程においてフロントリテーナ５０が機器側ハウジング９２に連れられて前方に向けて引っ張られるような場合、本実施形態によると、係止突起５３と係止孔４０の周縁部との係止に加えて、肉厚部５４の抜け止め部５７と雌端子２０の係止部２５とが上下方向に凹凸嵌合状態となって抜け止め部５７の係止爪５８と係止部２５とが前後方向に係止するから、端子収容部３２からのフロントリテーナ５０の脱落を防ぐことができる。
すなわち、ランス３７が弾性変位することを防ぐと共に、シールリング３９を抜け止めするフロントリテーナ５０が、両ハウジング３０，９２の離脱過程で機器側ハウジング９２に連れられて引っ張られるような場合に、フロントリテーナ５０の抜け止め部５７と雌端子２０の係止部２５とを前後方向に係止させることは、非常に有効である。
【００４３】
＜実施形態２＞
次に、本発明の実施形態２について図４を参照して説明する。
実施形態２の電線側コネクタ１１０は、実施形態１における雌端子２０の係止部２５の形状を変更したものであって、実施形態１と共通する構成、作用、および効果については重複するため、その説明を省略する。また、実施形態１と同じ構成については同一の符号を用いるものとする。
【００４４】
実施形態２の雌端子１２０における係止部１２５は、接続筒部２１の下面から斜め下後方に向けて延出された後、その後方下端部から後方に真っ直ぐ延出され、その後端部から斜め上後方に向けて延出された形態をなしている。そして、係止部１２５は、接続筒部２１に対する同係止部１２５の付け根部分を支点に接続筒部２１内に進入するように弾性変位可能とされている。
【００４５】
つまり、係止部１２５は、端子収容部３２に対して前方からフロントリテーナ５０を組み付ける過程において、抜け止め部５７の係止爪５８に後方から当接すると、係止部１２５の前端部が係止爪５８に乗り上げ、係止部１２５が同係止部１２５の付け根部分を支点に接続筒部２１内に進入するように弾性変位する。そして、端子収容部３２に対するフロントリテーナ５０の組み付けが完了すると、係止部２５が係止爪５８を乗り越えて弾性復帰し、係止部２５と抜け止め部５７の係止爪５８とが前後方向に係止可能な状態となる。
また、端子収容部３２からフロントリテーナ５０を取り外す際には、係止部１２５が係止爪５８に前方から当接して乗り上げ、係止部１２５が上方に弾性変位することで係止爪５８を乗り越え、係止部１２５と抜け止め部５７との係止が解除される。
【００４６】
すなわち、本実施形態によると、係止部１２５が抜け止め部５７の係止爪５８に乗り上げるようにして、係止部１２５が突出する方向と反対方向である上方に弾性変位するから、端子収容部３２に対してフロントリテーナ５０を容易に着脱することができる。
【００４７】
＜実施形態３＞
次に、本発明の実施形態３について図５を参照して説明する。
実施形態３の電線側コネクタ２１０は、実施形態１におけるフロントリテーナ５０の形状を変更したものであって、実施形態１と共通する構成、作用、および効果については重複するため、その説明を省略する。また、実施形態１と同じ構成については同一の符号を用いるものとする。
【００４８】
実施形態３のフロントリテーナ２５０における抜け止め部５７の下方（雌端子２０側とは反対側）には、肉厚部２５４の一部を切り欠くことで撓み空間２６０が形成されており、この撓み空間２６０に進入するように抜け止め部５７が下方に向けて弾性変位可能とされている。
つまり、抜け止め部５７の係止爪５８は、端子収容部３２に対して前方からフロントリテーナ５０を組み付ける過程において、雌端子２０の係止部２５に前方から当接して係止部２５に乗り上げ、抜け止め部５７が撓み空間２６０に進入するように下方に向けて弾性変位する。そして、端子収容部３２に対するフロントリテーナ５０の組み付けが完了すると、係止爪５８が係止部２５を乗り越えて抜け止め部５７が弾性復帰し、係止部２５と抜け止め部５７の係止爪５８とが前後方向に係止可能な状態となる。
また、端子収容部３２からフロントリテーナ５０を取り外す際には、係止爪５８が係止部１２５に後方から当接して乗り上げ、抜け止め部５７が下方に弾性変位することで、係止爪５８が係止部２５を乗り越え、係止部２５と抜け止め部５７との係止が解除される。
【００４９】
すなわち、本実施形態によると、抜け止め部５７の下方に抜け止め部５７が進入可能な撓み空間２６０を設けることで、抜け止め部５７が撓み空間２６０に進入するように下方に弾性変位するから、端子収容部３２に対してフロントリテーナ５０を容易に着脱することができる。
【００５０】
＜他の実施形態＞
本発明は上記記述及び図面によって説明した実施形態に限定されるものではなく、例えば次のような実施形態も本発明の技術的範囲に含まれる。
（１）上記実施形態では、シールリング３９を抜け止めするシール押さえ部５２と、ランス３７が弾性変位することを防ぐ変位防止部５５とをフロントリテーナ５０に設けた構成としたが、本発明はこのような態様に限定されるものではなく、例えば、シール押さえ部と変位防止部との何れか一方のみが設けられているフロントリテーナであってもよく、シール押さえ部や変位防止部の何れも有さずキャビティの前端部のみを構成するフロントリテーナであってもよい。
（２）上記実施形態では、フロントリテーナ５０にリブ状のがた詰め部が形成された構成としたが、本発明はこのような態様に限定されるものではなく、例えば、がた詰め部がばね状であってもよく、機器側ハウジングの内周面にがた詰め部が形成されていてもよい。
（３）上記実施形態では、本発明を、機器に一体に設けられた機器側コネクタに嵌合可能な電線側コネクタ１０に適用した構成としたが、本発明はこのような態様に限定されるものではなく、例えば、本発明は、電線の端末に設けられるコネクタに嵌合されるコネクタや非防水のコネクタなど各種コネクタに適用することもできる。
【符号の説明】
【００５１】
１０，１１０，２１０：電線側コネクタ（コネクタ）
２０，１２０：雌端子（端子）
２５，１２５：係止部
３０：電線側ハウジング（ハウジング）
３２：端子収容部
３７：ランス
３８：ランス撓み空間
５０，２５０：フロントリテーナ（フロント部材）
５５：変位防止部
５６：がた詰め部
５７：抜け止め部
９２：機器側ハウジング（相手側ハウジング）
２６０：撓み空間
【図１】
2015133276.tif 000003
【図２】
2015133276.tif 000004
【図３】
2015133276.tif 000005
【図４】
2015133276.tif 000006
【図５】
2015133276.tif 000007